(57)【要約】【課題】コンピュータマウスパッドに指圧器具を付着してコンピュータ使用中に活用することができるようにし、またマウスパッド及び指圧器具に人体に有益な陰イオンと遠赤外線などの活性物質が放出されるトルマリンを混合させて長期間の使用者に心身の疲労回復と元気を促進させることができるマウスパッドを提供する。【解決手段】マウスパッドの一側に指圧器具を脱着自在に付着し、マウスパッドと指圧器具にトルマリン粉末０．５〜１０重量％を含んで構成する。好ましくは、トルマリン粉末をペイントに含有させマウスパッドの表面にコーティングする。【選択図】図１
2006252549.tif 000002
【特許請求の範囲】
【請求項１】
マウスパッドの一側部に指圧器具を脱着自在に付着し、マウスパッドと指圧器具にトルマリン粉末０．５〜１０重量％を含ませて構成させたトルマリン健康マウスパッド。
【請求項２】
トルマリン粉末を含有させたペイントをマウスパッドにコーティングした構成を含む請求項１に記載のトルマリン健康マウスパッド。
【請求項３】
トルマリンコーティングは文字または絵の形態でなされることを含む請求項２に記載のトルマリン健康マウスパッド。
【請求項４】
指圧器具は、マウスパッドに止着の取付板に軸止され、回転自在とした指圧器具形態としてなることを含む請求項１〜３のいずれかに記載のトルマリン健康マウスパッド。
【請求項５】
指圧器具は、マウスパッドの一側部に指圧器具装置ホームを有した装置台を設置し、装置ホーム内に回転可能に装着されるように、ボールまたはローラ状で作られる指圧器具であることを含む請求項１〜３のいずれかに記載のトルマリン健康マウスパッド。
【請求項６】
指圧器具は、櫛の歯状指圧突起を有して形成され、軟質の外皮で被覆される構成であることを含む請求項１〜３のいずれかに記載のトルマリン健康マウスパッド。
【発明の詳細な説明】
【技術分野】
【０００１】
本発明は、コンピュータ用マウスパッドに指圧器具を付着させ、マウスパッドと指圧器具に人体に有効な陰イオンと遠赤外線などの活性物質を放出するトルマリンを混合させ、長期間コンピュータを使う者の心身の疲労を迅速に解消し、人体に好影響を与え勤務能力を高めることができるようにしたものに関する。
【背景技術】
【０００２】
一般的にコンピュータを使う事務員またはゲーマーなどは、長期間机に座ってマウスパッドの上にマウスをおいて手で操作することになるので、心身の疲労を感じるようになる。
【発明の開示】
【発明が解決しようとする課題】
【０００３】
本発明は前記した点に鑑みてなされたものであり、マウスパッドに指圧器具を装置するとともに、マウスパッドと指圧器具に活性物質を放出するトルマリンを含ませることによって、従来の不便さを解消したもので、長期間コンピュータを使いながらも心身の疲労を容易に解消し、人体に好影響を与えるマウスパッドを製造することによって、その効果を得ることができるようにするものである。
【課題を解決するための手段】
【０００４】
上記課題を解決するための本発明は、マウスパッドの一側に指圧器具を脱着自在に付着し、マウスパッドと指圧器具をトルマリン粉末０．５〜１０重量％を含有して構成する。好ましくは、トルマリン粉末をペイントに含有させマウスパッドの表面にコーティングする構成を含む。
【０００５】
上記において、コーティングは文字または絵の形態でなすことができる。また、上記指圧器具は、マウスパッドに止着の取付板に軸止され、回転自在とした指圧器具形態とすることができ、また、マウスパッドの一側部に指圧器具装置ホームを有した装置台を設置し、装置ホーム内に回転可能に装着されるように、ボールまたはローラ状で作られるものとすることもでき、或いは、櫛の歯状指圧突起を有して形成され、軟質の外皮で被覆される構成とすることもできる。
【発明の効果】
【０００６】
上記のように構成された本発明は、マウスパッドに指圧器具を付着させたので、コンピュータ使用中に体を指圧器具に摩擦させて刺激を与えることによって、指圧効果を得ることができ、またマウスパッドと指圧器具にトルマリンを含有させたので、トルマリンから放出される活性物質である陰イオンや遠赤外線などが人体に作用し、血液循環を助け、心身に作用して疲労を回復し業務の能率を高める効果を得ることができる。
【０００７】
特に指圧器具は、ローラ状や針状で構成され、人体の特定部分に接触させて指圧作用ができるようにすることにより、使用者の趣向による指圧が可能で、業務中に被る疲労を随時解消し、気分転換が図れるものとなる。なお、指圧器具にもトルマリンが含まれているので指圧器具を使う際、指圧作用とともに陰イオンや遠赤外線のような活性物質を放出し人体に作用することになり、指圧と活性物質の相互作用による相乗効果を得ることができる長所があるので、疲労回復の効果を高めることができる。
【発明を実施するための最良の形態】
【０００８】
以下、本発明の実施例を添付図面に依拠してより詳しく説明する。
本発明は、マウスパッド１の一側部に指圧器具２を付着させて構成する。前記指圧器具は脱着自在に止着することができる。マウスパッド１と指圧器具２は合成樹脂材で成形するが、トルマリン粉末０．５〜１０重量％を含有させた合成樹脂材で成形するのがよい。
【０００９】
また、マウスパッド１または指圧器具２の表面にトルマリン成分を含有させたペイントなどの物質をコーティング１ａすることも可能である。コーティングされる形態は、膜面の外、図１乃至３に示す如く、絵または文字、その他の模様としてコーティング部を形成することもできる。
【００１０】
指圧器具２は、図１〜３の如く、マウスパッド１の一側部に指圧器具取付板２０を付着させ、ここから起立させた支持部２０ａ、２０ｂ間にローラ状の指圧器具２１を挿入し、これを両支持部に亘る軸棒２２によって回転自在に支持させ、指圧器具２１の外面には合成樹脂材の外被２３を形成した構成を含んでいる。
また、図４〜１０の如く、マウスパッド１の一側部に指圧器具の装置台２４を作り、該台に設けた支持部としての装置ホーム２４ａに、棘状指圧突起２１aまたは突筋状指圧突起２１ｂを有する指圧器具２１を枢着し、或いは、装置台に設けた装置ホーム２４ｂにボール状の指圧器具２５を回転自在に収納する構成が含まれる。
上記突起２１ａ乃至２１ｂは、指圧器具の本体部と一体に形成することもでき、図６の如く別体成形した突起を圧縮バネ２１ｃを介装して本体に突出自在に嵌め込み形成することもできる。
【００１１】
また指圧器具は、図１１〜１４に示す如く、マウスパッド１の一側部に櫛の歯状指圧突起２６を形成し、これを柔らかなゼリーまたはスポンジのような軟質素材からなる櫛歯挿通孔付きカバー２６ａで被覆するか、或いは、図１５〜１７に示す如く、表面に複数の棘状指圧突起２７ａを有する指圧ボール２７を備え、指圧ボールの外面に柔らかなゼリーまたはスポンジなどの軟質素材からなる突起挿通孔付き外被２７ｂで被覆し、カバー乃至外被を押すと指圧突起が突出するようにした構成を含んでいる。
【００１２】
また本発明は、指圧器具の外面に掛けられる外被をスポンジ、ゼリー、合成ゴム、シリコーンなどの柔らかさを有した素材で作ることが含まれており、指圧器具は金属、合成樹脂、木、セラミックスなどで製造することが含まれる構成である。
【図面の簡単な説明】
【００１３】
【図１】は本発明の一例斜視図である。
【図２】は図１のＡ−Ａ線部分の矢視拡大断面図である。
【図３】は図１の分解斜視図である。
【図４】は本発明の他の実施例を示す斜視図である。
【図５】は図４の指圧器具の斜視図である。
【図６】は突起部分の断面図である。
【図７】は図４に用いられる別例の指圧器具の斜視図である。
【図８】は図４の平面図である。
【図９】は図４のＢ−Ｂ線矢視拡大断面図である。
【図１０】は図４のＣ−Ｃ線矢視拡大断面図である。
【図１１】は本発明のさらに別の一例を示す斜視図である。
【図１２】は図１１の分解斜視図である。
【図１３】は図１１のＤ−Ｄ線矢視拡大断面図である。
【図１４】は図１３の作動状態図である。
【図１５】は本発明の球状指圧器の別例の設置状態断面図である。
【図１６】は本発明のボール指圧具の外面を外被で被覆した状態を示す断面図である。
【図１７】は図１６の上側を押圧した使用状態断面図である。
【符号の説明】
【００１４】
１  マウスパッド
１ａ  コーティング
２  指圧器具
２０  取付板
２０ａ、２０ｂ  支持部
２１  指圧器具
２１ａ  棘状指圧突起
２１ｂ  突筋状指圧突起
２１ｃ  圧縮バネ
２２  軸棒
２３  外被
２４  装置台
２４ａ、２４ｂ  装置ホーム
２５  ボール状指圧器具
２６  櫛の歯状指圧突起
２６ａ  カバー
２７  指圧ボール
２７ａ  棘状指圧突起
２７ｂ  外被
【図１】
2006252549.tif 000003
【図２】
2006252549.tif 000004
【図３】
2006252549.tif 000005
【図４】
2006252549.tif 000006
【図５】
2006252549.tif 000007
【図６】
2006252549.tif 000008
【図７】
2006252549.tif 000009
【図８】
2006252549.tif 000010
【図９】
2006252549.tif 000011
【図１０】
2006252549.tif 000012
【図１１】
2006252549.tif 000013
【図１２】
2006252549.tif 000014
【図１３】
2006252549.tif 000015
【図１４】
2006252549.tif 000016
【図１５】
2006252549.tif 000017
【図１６】
2006252549.tif 000018
【図１７】
2006252549.tif 000019